(57)【要約】【課題】  受信信号に含まれる希望波のレベルを取得する受信レベル測定回路で、帯域内雑音の近傍の受信レベルを精度良く測定する。【解決手段】  無線周波数帯域の受信信号に基づいて電界強度を検出する電界強度検出手段１と、電界強度と仮想雑音とを加算して電界強度を補正する電界強度補正手段３、５と、電界強度に基づいて無線周波数帯域の受信信号のレベルを利得制御する無線周波数帯域受信信号利得制御手段１１と、利得制御された受信信号をベースバンドの受信信号へ変換するベースバンド変換手段１２、１３と、ベースバンドの受信信号に含まれる希望波のレベルを検出する希望波レベル検出手段Ａ１〜ＡＮ、１５と、補正後の電界強度を用いて希望波のレベルを補正する希望波レベル補正手段１８を備えた。【選択図】  図１
2006080585.tif 000002
【特許請求の範囲】
【請求項１】
受信信号に含まれる希望波のレベルを取得する受信レベル測定回路において、
無線周波数帯域の受信信号に基づいて電界強度を検出する電界強度検出手段と、
前記電界強度検出手段により検出された電界強度と仮想雑音とを加算することで当該電界強度を補正する電界強度補正手段と、
前記電界強度検出手段により検出された電界強度に基づいて前記無線周波数帯域の受信信号のレベルを利得制御する無線周波数帯域受信信号利得制御手段と、
前記無線周波数帯域受信信号利得制御手段により利得制御された受信信号をベースバンドの受信信号へ変換するベースバンド変換手段と、
前記ベースバンド変換手段により得られたベースバンドの受信信号に基づいて当該受信信号に含まれる希望波のレベルを検出する希望波レベル検出手段と、
前記電界強度補正手段により得られた補正後の電界強度を用いて、前記希望波レベル検出手段により検出された希望波のレベルを補正する希望波レベル補正手段と、を備え、
前記希望波レベル補正手段により得られた補正後の希望波のレベルを受信信号に含まれる希望波のレベルとして取得する、
ことを特徴とする受信レベル測定回路。
【発明の詳細な説明】
【技術分野】
【０００１】
本発明は、例えば、移動通信システムの受信機などで用いられる受信レベル測定回路に関し、特に、受信機などにおける帯域内雑音の近傍の受信レベルを精度良く測定する受信レベル測定回路に関する。
【背景技術】
【０００２】
移動体通信システムでは、限られた周波数等の資源を有効に利用する方法として様々な多元接続の方法が考案されており、ＣＤＭＡ（Ｃｏｄｅ  Ｄｉｖｉｓｉｏｎ  Ｍｕｌｔｉｐｌｅ  Ａｃｃｅｓｓ：符号分割多元接続）方式と称される方法が注目されている。ＣＤＭＡ方式の中で、特に通信する各チャネル毎に個別の拡散符号を割り当てて多重化し、また、送信シンボルにパイロットシンボルを挿入して伝送し、受信側ではパイロットシンボルの逆拡散信号から振幅位相変動を抽出し、それを用いて受信シンボルの補正を行い検波するＤＳ−ＣＤＭＡ（Ｄｉｒｅｃｔ  Ｓｅｑｕｅｎｃｅ  −  Ｃｏｄｅ  Ｄｉｖｉｓｉｏｎ  Ｍｕｌｔｉｐｌｅ  Ａｃｃｅｓｓ：直接拡散符号分割多元接続）方式では、その方式に特有の閉ループ制御型送信電力制御を行うために受信機において受信波のレベル測定を行う必要があることが知られている。
【０００３】
まず、従来のＣＤＭＡ受信機における受信レベル測定回路の構成例について、図１１を使って説明する。図１１は、従来の受信レベル測定回路の一構成例を示すブロック図である。従来の受信レベル測定回路は、図１１に示すように、ＲＳＳＩ検出部８１と、Ａ／Ｄ部（Ａ／Ｄ変換部）８２と、ＲＳＳＩ平均化部８３と、電圧／ｄＢ変換部８４とから構成されている。
【０００４】
従来の受信レベル測定回路の各部について説明する。
ＲＳＳＩ検出部８１は、無線周波数帯域の受信信号の受信信号電界強度（Ｒｅｃｅｉｖｅｄ  Ｓｉｇｎａｌ  Ｓｔｒｅｎｇｔｈ  Ｉｎｄｉｃａｔｏｒ：ＲＳＳＩ）を検出し、電圧出力する。なお、この部位は、市販のＲＳＳＩ検出用のＩＣ等で実現される。Ａ／Ｄ部８２は、電圧出力されたＲＳＳＩのアナログ値をデジタル値に変換する。ＲＳＳＩ平均化部８３は、検出されたＲＳＳＩを平均化する。電圧／ｄＢ変換部８４は、平均化されたＲＳＳＩの電圧値をｄＢ値に変換する。なお、この部位は、ＲＳＳＩの電圧値対ＲＳＳＩのｄＢ値の変換テーブルを予め作成しておき、それを参照することで実現できる。
【０００５】
次に、従来の受信レベル測定回路の動作について図１１を使って説明する。従来の受信レベル測定回路では、受信機に入力された無線周波数帯域の受信信号が、ＲＳＳＩ検出部８１に入力され、受信信号のＲＳＳＩが検出されてアナログの電圧値で出力され、Ａ／Ｄ部８２でデジタル値に変換され、ＲＳＳＩ平均化部８３において所定の平均化を施され、電圧／ｄＢ変換部８４にてｄＢ値に変換されて、受信機に入力された信号の受信レベルの測定結果がＲＳＳＩのｄＢ値で出力される。
【０００６】
なお、受信レベル測定回路の従来技術としては、平成８年１１月５日公開の特開平８−２９３８２２号「受信電界強度検出信号補正回路」（出願人：沖電気工業株式会社、発明者：児玉昭宣）がある（特許文献１参照。）。この従来技術は、受信電波の電界強度を検出する機能を有する無線装置において、前記電界強度と前記受信電波の電界強度の真値との差分を測定し、該差分を量子化したデータを記憶装置に格納し、前記データを用いて前記電界強度を補正する受信電界強度検出信号補正回路であり、これにより、安定したＲＳＳＩを出力でき、同様の無線装置が複数存在する場合に、各受信部のＲＳＳＩ特性を統一できるものである。
【０００７】
しかしながら、従来の受信レベル測定回路では、ＤＳ−ＣＤＭＡ方式において複数の送受信機がそれぞれ同一の無線周波数帯域を使用して通信を行うため、受信機に入力された信号の全てが希望波レベルとは限らず、干渉波レベルを含んでいるにもかかわらず、単一に受信レベルとして測定されてしまうという問題点があった。また、無線周波数帯域におけるＲＳＳＩ測定では、理論的に受信機無線部の帯域内雑音以下のレベルは測定できず、全レベルで正確な受信レベルが測定できないという問題点があった。
【０００８】
そこで、上記従来の技術における受信レベル測定回路の問題点を解消する方法として、本出願人による「受信レベル測定方法及び受信レベル測定回路」がある（特許文献２参照。）。がある。この発明によれば、ベースバンド部において、希望波レベル、干渉波レベルを分離して測定し、ＲＳＳＩを用いて受信ＡＧＣ等の補正を行うことにより、受信機無線部の帯域内雑音以下のレベルまで測定可能な受信レベル測定方法及び回路を実現することができる。
【０００９】
【特許文献１】特開平８−２９３８２２号公報
【特許文献２】特許第３４７４８２６号公報
【発明の開示】
【発明が解決しようとする課題】
【００１０】
しかしながら、上記した「受信レベル測定方法及び受信レベル測定回路（特許文献２）」では、検出されたＲＳＳＩが受信機の帯域内雑音を無視することができないレベルになった場合には、検出されたＲＳＳＩの非線形性により、ベースバンド部で求めた希望波レベルを正しく補正することができず、誤差が大きくなるという問題があった。
図１２には、仮に帯域内雑音電力が−１００ｄＢであるとした場合における入力電力とＲＳＳＩの検出値の一例を示してある。
一般的に、受信機に入力される電力が帯域内雑音電力と比較して十分に高い電力となる場合には、ＲＳＳＩと入力電力の値はほぼ一致し、また、受信機に入力される電力が帯域内雑音電力よりも低い電力となる場合には、ＲＳＳＩは帯域内雑音電力値の近傍の値となる。
【００１１】
また、一般的に、受信機においては直交検波部への入力電力が一定になるように自動利得制御（ＡＧＣ）されることが知られているが、このＡＧＣは上述のＲＳＳＩに基づいて行われる。
しかし、帯域内雑音の近傍では、検出できるＲＳＳＩは実際の入力電力と帯域内雑音とを加算した値であるため、これをもとにＡＧＣをかけると、実際の入力信号が一定になるようには制御されないことになる。すなわち、帯域内雑音レベルの近傍では、帯域内雑音電力分低い電力が直交検波部に入力されることとなり、ベースバンド部における希望波レベルが低く測定されることになる。
【００１２】
本発明は、このような従来の事情に鑑み為されたもので、例えば、移動通信システムの受信機などにおいて、帯域内雑音の近傍の受信レベルを精度良く測定することができる受信レベル測定回路を提供することを目的とする。
【課題を解決するための手段】
【００１３】
上記目的を達成するため、本発明に係る受信レベル測定回路では、次のようにして、受信信号に含まれる希望波のレベルを取得（測定）する。
すなわち、電界強度検出手段が、無線周波数帯域の受信信号に基づいて、電界強度を検出する。電界強度補正手段が、前記電界強度検出手段により検出された電界強度と仮想雑音とを加算することで、当該電界強度を補正する。無線周波数帯域受信信号利得制御手段が、前記電界強度検出手段により検出された電界強度に基づいて、前記無線周波数帯域の受信信号のレベルを利得制御する。ベースバンド変換手段が、前記無線周波数帯域受信信号利得制御手段により利得制御された受信信号をベースバンドの受信信号へ変換する。希望波レベル検出手段が、前記ベースバンド変換手段により得られたベースバンドの受信信号に基づいて、当該受信信号に含まれる希望波のレベルを検出する。希望波レベル補正手段が、前記電界強度補正手段により得られた補正後の電界強度を用いて、前記希望波レベル検出手段により検出された希望波のレベルを補正する。そして、前記希望波レベル補正手段により得られた補正後の希望波のレベルを受信信号に含まれる希望波のレベルとして取得する。
従って、例えば、移動通信システムの受信機などにおいて、帯域内雑音の近傍の受信レベルを精度良く取得（測定）することができる。
【００１４】
ここで、受信信号としては、種々な信号が用いられてもよく、例えば、送信側でＣＤＭＡ方式の拡散符号により拡散された信号が用いられる。
また、希望波としては、種々な信号が用いられてもよく、例えば、パイロットシンボルの信号を用いることができ、この場合、例えば、送信側と受信側とで同一のパイロットシンボルが設定される。
また、レベルとしては、種々なレベルが用いられてもよく、例えば、電力のレベルや、振幅のレベルなどを用いることができる。
また、無線周波数帯域の受信信号の電界強度としては、例えば、受信信号電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）が用いられる。
【００１５】
また、電界強度を補正するための仮想雑音としては、種々なものが用いられてもよく、例えば、帯域内雑音に基づくものを用いることができ、一例として、入力電力のレベルが帯域内雑音のレベル以下である場合には検出される電界強度と同じレベルのものを仮想雑音として、入力電力のレベルが帯域内雑音のレベルを超える場合には入力電力のレベルが帯域内雑音のレベルであるときに検出される電界強度と同じレベルのもの（一定値）を仮想雑音とするようなことができる。
また、検出された電界強度と仮想雑音とは、例えば、真値で加算される。
【００１６】
また、受信信号のレベルの利得制御では、例えば、検出される電界強度が所定の一定値となるように受信信号のレベルを増幅器或いは可変減衰器などにより制御することが行われる。
また、ベースバンドの受信信号としては、例えば、同相成分（Ｉ成分）の信号及び直交成分（Ｑ成分）の信号を用いることができる。
また、ベースバンド変換手段としては、例えば、直交検波を行う手段を用いることができる。
また、ベースバンドの受信信号に含まれる希望波のレベルを検出する態様としては、例えば、ベースバンドの受信信号から希望波に対応する所定のシンボル（例えば、パイロットシンボル）を用いて希望波の成分を抽出して当該希望波の成分のレベルを検出するような態様を用いることができる。
【００１７】
また、補正後の電界強度を用いて希望波のレベルを補正する態様としては、種々な態様が用いられてもよく、例えば、補正後の電界強度と希望波のレベルとを加算する態様や、補正後の電界強度と希望波のレベルとを加算して補正後の電界強度の下限値を減算する態様や、後述する式８と同じ或いは同様な式に基づいて計算する態様などを用いることができる。
また、本発明に係る受信レベル測定回路や受信レベル測定方法は、例えば、入力電力のレベルが帯域内雑音のレベル以下である近傍や、入力電力のレベルが帯域内雑音のレベルを超える近傍や、入力電力のレベルが他のレベルであるときのうちの、いずれかの範囲或いは２つ以上の範囲で使用することが可能である。
【発明の効果】
【００１８】
以上説明したように、本発明に係る受信レベル測定回路によると、無線周波数帯域の受信信号に基づいて電界強度を検出し、検出した電界強度と仮想雑音とを加算することで当該電界強度を補正し、検出した電界強度に基づいて無線周波数帯域の受信信号のレベルを利得制御し、利得制御した受信信号をベースバンドの受信信号へ変換し、当該変換により得られたベースバンドの受信信号に基づいて当該受信信号に含まれる希望波のレベルを検出し、補正後の電界強度を用いて検出した希望波のレベルを補正し、補正後の希望波のレベルを受信信号に含まれる希望波のレベルとして取得するようにしたため、例えば、帯域内雑音の近傍の受信レベルを精度良く取得することができる。
【発明を実施するための最良の形態】
【００１９】
本発明に係る一実施例を図面を参照して説明する。
まず、図１を参照して、本実施例に係るＲＳＳＩの補正について概念的に説明する。
図１には、例えば図２に示される本例の受信レベル測定回路のようなものにおける、（ａ）入力電力と、（ｂ）検出されるＲＳＳＩ（検出ＲＳＳＩ）と、（ｃ）補正後のＲＳＳＩ（補正後ＲＳＳＩ）と、（ｄ）仮想雑音と、（ｅ）帯域内雑音との関係の一例を示してある。なお、グラフの横軸は入力電力［ｄＢｍ］を表しており、縦軸は検出及び補正後のＲＳＳＩなどの大きさ［ｄＢｍ］を表している。
【００２０】
ここで、（ｂ）検出ＲＳＳＩには帯域内雑音も含まれることから理想的には図示されるようになり、実際の（ａ）入力電力との差分が生じる。このような差分があると、（ｅ）帯域内雑音の近傍におけるベースバンド部での希望波レベルが低く測定される。この差分を補正するために、（ｂ）検出ＲＳＳＩと（ｄ）仮想雑音とを真値で加算して（ｃ）補正後ＲＳＳＩを算出する。また、図示されるように、（ｂ）検出ＲＳＳＩが例えば（ｄ）仮想雑音以下になったときには、（ｂ）検出ＲＳＳＩ自身を（ｄ）仮想雑音と見立てて補正を行うというように、（ｂ）検出ＲＳＳＩに応じて（ｄ）仮想雑音を変化させることも可能である。
【００２１】
この（ｃ）補正後のＲＳＳＩ（補正後ＲＳＳＩ）を用いて希望波レベルを補正することにより、帯域内雑音の近傍におけるベースバンド部での希望波レベルが低く測定される分を補正する。実際の入力が帯域内雑音に対して十分に低いレベルになれば、例えば「受信レベル測定方法及び受信レベル測定回路（特許文献２）」に記載されるように、ＡＧＣ動作に関わらず、ベースバンド部における希望波レベルを正しく測定することができる。
【００２２】
次に、本実施例に係る受信レベル測定回路及び受信レベル測定方法を説明する。
本例の受信レベル測定回路は、送信側の送信機から無線により送信される信号を受信する受信側の受信機に設けられている。
本例の受信レベル測定回路は、受信信号電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）検出部１と、Ａ／Ｄ（Ａｎａｌｏｇ  ｔｏ  Ｄｉｇｉｔａｌ）部２と、ＲＳＳＩ平均化部３と、電圧／ｄＢ変換部４と、ＲＳＳＩ補正部５を備えている。
また、本例の受信レベル測定回路は、自動利得制御（ＡＧＣ：Ａｕｔｏｍａｔｏｉｃ  Ｇａｉｎ  Ｃｏｎｔｒｏｌ）部１１と、発振器１２と、直交検波部１３と、Ａ／Ｄ部１４と、複数（本例では、複数であるＮ個）の希望波干渉波検出部Ａ１〜ＡＮと、加算器１５と、加算器１６と、ｄＢ変換部１７と、希望波レベル補正部１８と、干渉波レベル補正部１９を備えている。
また、それぞれの希望波干渉波検出部Ａ１〜ＡＮは、同様な構成を有しており、符号生成部２１と、逆拡散部２２と、デジタルＡＧＣ部２３と、参照用パイロットシンボル生成部２４と、複素乗算器２５と、希望波成分平均化部２６と、加算器２７と、希望波成分電力化部２８と、干渉波成分電力化部２９と、指数重み付け平均化部３０と、フィンガＳＩＲ（Ｓｉｇｎａｌ  ｔｏ  Ｉｎｔｅｒｆｅｒｅｎｃｅ  Ｒａｔｉｏ）測定部３１を備えている。
【００２３】
無線周波数帯域の受信信号がＲＳＳＩ検出部１及びＡＧＣ部１１に入力される。受信信号は、送信側の送信機により、ＤＳ−ＣＤＭＡ方式を用いて、所定の拡散率で拡散変調されており、また、直交変調されている。
ＲＳＳＩ検出部１は、無線周波数帯域の受信信号の受信信号電界強度（ＲＳＳＩ）を検出し、当該検出結果をＡ／Ｄ部２及びＡＧＣ部１１へ電圧出力する。
Ａ／Ｄ部２は、ＲＳＳＩ部１から電圧出力されたアナログ値のＲＳＳＩをデジタル値へ変換して出力する。
ＲＳＳＩ平均化部３は、Ａ／Ｄ部３から出力される検出されたＲＳＳＩを平均化して、その結果を電圧／ｄＢ変換部４へ出力する。
電圧／ｄＢ変換部４は、ＲＳＳＩ平均化部３から電圧出力されたＲＳＳＩの平均値をｄＢ値へ変換してＲＳＳＩ補正部５へ出力する。
【００２４】
ＲＳＳＩ補正部５は、電圧／ｄＢ変換部４から出力されるＲＳＳＩの平均値を補正して、当該補正結果を希望波レベル補正部１８及び干渉波レベル補正部１９へ出力する。
ここで、ＲＳＳＩ補正部５では、入力されるＲＳＳＩの平均値が受信機の帯域内雑音を無視することができないレベルになった場合に、当該ＲＳＳＩの平均値に応じて仮想雑音レベルを加算することにより当該ＲＳＳＩの平均値を補正する。一例として、図１を参照して説明したような補正を行う。
【００２５】
なお、本例では、ＲＳＳＩ検出部１ではＲＳＳＩをアナログ電圧値で出力し、この時点で既に単位は［ｄＢ］である。そして、電圧／ｄＢ変換部４では、電圧で示されたｄＢ値をデジタルコード値へ変換する。ＲＳＳＩ補正部５では、このようなデジタルコード値をいったん真値へ変換して仮想雑音を加算してｄＢ値に戻す。
【００２６】
ＡＧＣ部１１は、ＲＳＳＩ部１により検出されて入力されるＲＳＳＩ電圧を用いて、無線周波数帯域の受信信号の電力（受信電力）を一定にするように制御し、当該電圧制御後の受信信号を直交検波部１３へ出力する。
発振器１２は、所定の周波数を有する搬送波を発振して、当該搬送波を直交検波部１３へ出力する。
直交検波部１３は、発振器１２から入力される搬送波を用いて、ＡＧＣ部１１から入力される無線周波数帯域の受信信号を復調して、ベースバンドの同相成分及び直交成分へダウンコンバートする。
Ａ／Ｄ部１４は、直交検波部１３においてダウンコンバートされたアナログのベースバンド受信信号をデジタル値へ変換して、それぞれの希望波干渉波検出部Ａ１〜ＡＮの逆拡散部２２へ出力する。
【００２７】
複数の希望波干渉波検出部Ａ１〜ＡＮのそれぞれは、フィンガ（Ｆｉｎｇｅｒ）毎の希望波成分及び干渉波成分を検出し、更にその比（ＳＩＲ）を求めるものであり、本例では、デジタル変換されたベースバンド受信信号から、希望波成分、干渉波成分、フィンガＳＩＲを求める。
加算器１５は、複数の希望波干渉波検出部Ａ１〜ＡＮから出力される希望波成分を加算して、当該加算結果をｄＢ変換部１７へ出力する。
加算器１６は、複数の希望波干渉波検出部Ａ１〜ＡＮから出力されるフィンガＳＩＲ（フィンガ毎のＳＩＲ）を加算して、当該加算結果をｄＢ変換部１７へ出力する。
ｄＢ変換部１７は、加算器１５からの出力であるフィンガ合成後の希望波成分電力をｄＢ値へ変換して希望波レベル補正部１８及び干渉波レベル補正部１９へ出力するとともに、加算器１６からの出力である合成後ＳＩＲをｄＢ値へ変換して干渉波レベル補正部１９へ出力する。
【００２８】
希望波レベル補正部１８は、ＲＳＳＩ補正部５において補正されたＲＳＳＩと、送信側での拡散変調により拡散された信号の拡散率と、受信機において測定された希望波成分電力を絶対電力値へ補正するための固定補正値を入力して、ｄＢ変換部１７から入力される希望波成分の電力を補正し、当該補正結果として得られる希望波受信レベルを出力する。
干渉波レベル補正部１９は、ＲＳＳＩ補正部５において補正されたＲＳＳＩと、送信側での拡散変調により拡散された信号の拡散率と、干渉波成分電力を絶対電力値へ補正するための固定補正値を入力して、受信機において測定されたＳＩＲ及び希望波成分（ｄＢ変換部１７から入力されるＳＩＲ及び希望波成分）から干渉波成分の電力を求め、更にそれを絶対電力値へ補正するための固定補正値を用いて干渉波成分電力を補正し、当該補正結果として得られる干渉波受信レベルを出力する。
【００２９】
それぞれの希望波干渉波検出部Ａ１〜ＡＮについて説明する。本例では、全ての希望波干渉波検出部Ａ１〜ＡＮは同様な構成を有しているため、希望波干渉波検出部Ａ１を代表させて説明する。
符号生成部２１は、参照用の拡散符号を生成して逆拡散部２２へ出力する。
逆拡散部２２は、Ａ／Ｄ部１４からの出力であるベースバンドの受信信号と、符号生成部２１からの出力である参照用の拡散符号（参照用符号）との相関演算を行うことで逆拡散を行い、その結果をデジタルＡＧＣ部２３へ出力する。
デジタルＡＧＣ部２３は、逆拡散部２２から入力される逆拡散後の信号を送信側の拡散率に応じてシフトアップして複素乗算器２５へ出力する。
【００３０】
参照用パイロットシンボル生成部２４は、後記する振幅位相変動量を求めるための参照用のパイロットシンボルを生成して複素乗算器２５へ出力する。
複素乗算器２５は、デジタルＡＧＣ部２３から出力されるデジタルＡＧＣ後の信号と、参照用パイロットシンボル生成部２４から出力される参照用パイロットシンボルの信号との複素共役乗算を行って振幅位相変動量を求め、その結果を希望波成分ベクトルとして希望波成分平均化部２６及び加算器２７へ出力する。
希望波成分平均化部２６は、複素乗算器２５からの出力である希望波成分ベクトルを平均化して、その結果を希望波成分電力化部２８及び加算器２７へ出力する。
加算器２７は、希望波成分平均化部２６からの出力である平均化後の希望波成分ベクトルと、複素乗算器２５からの出力である平均前の希望波成分ベクトルとの差分を求め、当該差分を干渉波成分ベクトルとして干渉波成分電力化部２９へ出力する。
【００３１】
希望波成分電力化部２８は、希望波成分平均化部２６から出力される希望波成分ベクトルの電力を求めて、その結果を希望波成分の電力として加算器１５及びフィンガＳＩＲ測定部３１へ出力する。
干渉波成分電力化部２９は、加算器２７から出力される干渉波成分ベクトルの電力を求めて、その結果を干渉波成分の電力として指数重み付け平均化部３０へ出力する。
指数重み付け平均化部３０は、干渉波成分電力化部２９により電力化された干渉波成分の電力を長区間にわたって指数重み付け平均し、その結果をフィンガＳＩＲ測定部３１へ出力する。
フィンガＳＩＲ測定部３１は、希望波成分電力化部２８からの出力である希望波成分電力と、指数重み付け平均化部３０からの出力である重み付け平均後の干渉波成分電力との比を求めて、その結果をフィンガ毎のＳＩＲ（フィンガＳＩＲ）として加算器１６へ出力する。
【００３２】
次に、図２に示される本例の受信レベル測定回路により行われる受信レベル測定方法の動作の一例を示す。
受信機に入力された無線周波数帯域の受信信号は、ＲＳＳＩ検出部１に入力され、ＲＳＳＩが検出される。なお、この部位は、例えば、市販のＲＳＳＩ検出用のＩＣ等で実現することが可能である。
検出されたＲＳＳＩは電圧で出力され、電圧出力されたＲＳＳＩはＡ／Ｄ部２においてデジタル信号へ変換される。
デジタル変換されたＲＳＳＩ電圧は、ＲＳＳＩ平均化部３において平均化を施される。所定の平均化をＲＳＳＩ平均化部３において行った後、電圧／ｄＢ変換部４においてＲＳＳＩ電圧をｄＢ値へ変換する。この部位は、例えば、ＲＳＳＩの電圧対ＲＳＳＩのｄＢ値の変換テーブルを予め作成しておいて、それを参照することで実現することが可能である。
その後、ＲＳＳＩ補正部５において、ＲＳＳＩに関して補正を行う。この補正結果を用いて、帯域内雑音の近傍におけるベースバンド検出の希望波レベルの落ち込みを、希望波レベル補正部１８及び干渉波レベル補正部１９で補正することになる。
【００３３】
また、無線周波数帯域の受信信号は、ＲＳＳＩ電圧を用いて、ＡＧＣ部１１において利得制御が行われて、受信電力が一定になるように制御される。更に、受信信号は、直交検波部１３において、発振器１２からの搬送波により、ベースバンドの同相成分及び直交成分へダウンコンバートされる。ダウンコンバートされたベースバンドの受信信号は、Ａ／Ｄ部１４でデジタル信号へ変換される。デジタル変換されたベースバンドの受信信号は、逆拡散部２２に入力されて、符号生成部２１からの参照用の拡散符号との相関演算が行われて、逆拡散される。逆拡散後の受信シンボルは、デジタルＡＧＣ部２３に入力される。デジタルＡＧＣ部２３では、送信側の拡散変調における拡散率に応じて、逆拡散後の信号をシフトアップする。
【００３４】
ここで、図３には、逆拡散前の信号の振幅をＡとした場合における、送信側の拡散率と逆拡散後の振幅との理想的な関係の一例を示してある。
図３に示されるように、拡散率により振幅が異なり、逆拡散後のビット数が低拡散率の時に少なくなる。このため、これより後段の処理を固定小数点演算で取り扱うことを想定した場合には、ビット数の減少は特性劣化を招く要因となり得る。そこで、本例では、デジタルＡＧＣ部２３は、逆拡散後のビット数が一定になるように、拡散率に応じたシフトアップを行い、演算ビット数の減少による劣化を防ぐことを実現する。
【００３５】
デジタルＡＧＣ後における受信シンボルのうちパイロットシンボル部分は、参照用パイロットシンボル生成部２４からの参照用パイロットシンボルと複素乗算器２５において複素共役乗算を施され、その計算結果を振幅位相変動量すなわち希望波成分ベクトルとして出力する。更に、希望波成分平均化部２６において所定のパイロットシンボル数分の平均化を行う。また、加算器２７で平均化後の希望波成分ベクトルと平均前の希望波成分ベクトルとの差分をとり、これを干渉波成分ベクトルとする。
【００３６】
希望波成分ベクトルについては、希望波成分電力化部２８においてその電力を求めて出力される。一方、干渉波成分ベクトルについては、干渉波成分電力化部２９において電力化及び所定のパイロットシンボル数分の平均化を行って出力される。また、干渉波成分に関しては、更に指数重み付け平均化部３０において長区間にわたる平均化を行って出力される。求められた希望波成分電力及び干渉波成分電力を用いて、フィンガＳＩＲ測定部３１においてその比が求められる。
【００３７】
ＤＳ−ＣＤＭＡ方式では、マルチパスを逆拡散により分離することが可能であるため、分離された遅延波をそれぞれ異なる希望波干渉波検出部Ａ１〜ＡＮに割り当てることにより、各パス毎の希望波成分及び干渉波成分及びＳＩＲを求めることができ、更に、それを全ての遅延波について合成することにより求める希望波成分及び干渉波成分及びＳＩＲを得ることができる。
【００３８】
また、次のようにして、複数の希望波干渉波検出部Ａ１〜ＡＮからの希望波成分、ＳＩＲから合成後の希望波成分、干渉波成分を得る。
希望波成分に関しては、各希望波干渉波検出部Ａ１〜ＡＮにおいて検出された希望波成分電力を加算器１５により加算する。これにより、分離された各パスの希望波成分電力の和を求めて、合成後の希望波成分電力を求めることができる。
一方、合成後のＳＩＲは各フィンガ毎のＳＩＲを加算器１６で加算することにより求めることができる。合成後の希望波成分電力及び合成後のＳＩＲは、それぞれ、ｄＢ変換部１７においてｄＢ変換される。ｄＢ変換された合成後の希望波成分電力は希望波レベル補正部１８と干渉波レベル補正部１９に入力され、ｄＢ変換された合成後のＳＩＲは、干渉波レベル補正部１９に入力される。
【００３９】
次に、図４を参照して、希望波レベル補正部１８及び干渉波レベル補正部１９について説明する。
図４には、無線部で検出されるＲＳＳＩ（無線部検出ＲＳＳＩ）と、ベースバンドで検出される希望波成分（ベースバンド検出希望波成分）との関係の一例を模式的に示してある。グラフの横軸は受信電界を表しており、縦軸は無線部検出ＲＳＳＩ及びベースバンド検出希望波成分を表している。また、受信電界が受信機の帯域内雑音レベル以下である領域Ａと、受信電界が受信機の帯域内雑音レベルより大きい領域Ｂを示してある。
【００４０】
ここで、領域Ａは、ＲＳＳＩが一定の最低値となってフロアを引く領域であるため、フロントのＡＧＣ部１１では利得が変動せず、ＡＧＣがきかない領域となる。つまり、ＲＳＳＩがフロアを引いているのは、希望波成分より帯域内雑音の方が大きいために、帯域内雑音に対してＡＧＣ制御しているような状態となることによる。帯域内雑音は、例えば、個々の受信機などの装置に固有の値が設定されて用いられ、或いは、測定などにより動的に可変に設定されてもよい。
【００４１】
図４に示されるように、無線部検出ＲＳＳＩ（本例では、ＲＳＳＩ検出部１による検出結果）は、受信電界が帯域内雑音レベル以下（領域Ａ）になると、フロアを引いてしまって正しく検出されなくなり、無線部ＡＧＣ（本例では、ＡＧＣ部１１によるＡＧＣ）が適切にはかからなくなる。一方、この領域Ａでは、（本例では、希望波干渉波検出部Ａ１〜ＡＮにより）ベースバンドでの希望波成分を線形に検出することができる。
また、受信電界が帯域内雑音レベルより大きい（領域Ｂである）場合には、無線部検出ＲＳＳＩ（本例では、ＲＳＳＩ検出部１による検出結果）を正しく検出することができることから無線部ＡＧＣ（本例では、ＡＧＣ部１１によるＡＧＣ）が正しくかかるため、ベースバンドでの希望波成分は飽和してしまい正しく検出されない。
【００４２】
また、領域Ａと領域Ｂとの境界付近では、すなわち、帯域内雑音の近傍の領域では、上述したように帯域内雑音の影響が無視できなくなり、より高いＲＳＳＩを検出してしまい、結果として、ベースバンドでの希望波成分が低く見えるようになってしまう。このため、本例においては、領域Ａでは、ベースバンド検出希望波成分を利用し、また、領域Ｂでは、ベースバンド検出希望波成分に、無線部検出ＲＳＳＩに補正を加えて得られる補正後ＲＳＳＩを補正値として加える。
【００４３】
ここで、希望波レベル補正部１８により行われる補正について詳しく説明する。
まず、補正後のＲＳＳＩを用いて、検出（測定）した希望波成分電力の傾きを補正する。また、結果として、無線部で検出されたＲＳＳＩが下限値に達すると（図４中の領域Ａ）、ＲＳＳＩによる傾きの補正を行わないようになる。すなわち、単位を［ｄＢ］として、（補正後の希望波レベル＝補正前の希望波レベル＋補正後のＲＳＳＩ）となる。
この式により、無線部において正しくＡＧＣがかからない領域（領域Ａ）では、ＲＳＳＩによる補正は行わずに、正しくＡＧＣがかかる領域（領域Ｂ）では、ＲＳＳＩによる補正が実現される。
【００４４】
更に、希望波レベル補正部１８では、ベースバンド検出の希望波成分を絶対電力に直す補正を行う。これは、例えば、拡散変調することにより得られる拡散利得と、希望波干渉波検出部Ａ１〜ＡＮにおけるデジタルＡＧＣに対する補正値を固定のパラメータとして有して、これを補正後の希望波レベルに加えることにより、求める希望波レベルの絶対電力値を得ることができる。
【００４５】
このような固定の補正の一例を示す。
まず、受信機に干渉が無い場合を考える、すなわち受信電力は全て希望波である。この場合、ベースバンドで逆拡散を行うと拡散利得が得られる。すなわち、単位を［ｄＢ］として、（理想の希望波レベル＝干渉が無い場合における無線部ＲＳＳＩ）である。この理想の希望波レベルに対して、ベースバンドで検出する希望波レベルには、演算時におけるフォーマットや実現法によって、固定のオフセットがかかる。このオフセットを吸収するために、干渉が無い状態である受信信号を入力したときにおける理想の希望波レベルと測定した希望波レベルとの差を固定の補正値パラメータとして保持しておき、測定した希望波レベルにこの補正値を加えて、絶対電力値に直す。
【００４６】
また、干渉波レベル補正部１９により行われる補正について詳しく説明する。
希望波レベルと干渉波レベルとＳＩＲの関係は、単位を［ｄＢ］として、（ＳＩＲ＝希望波レベル−干渉波レベル＋拡散利得）となる。
干渉波レベル補正部１９は、合成後のＳＩＲを用いて、希望波レベル補正部１８において行った補正に対して前記式の関係が保たれるように、絶対電力値に補正する。すなわち、単位を［ｄＢ］として、（補正後の干渉波レベル＝補正後の希望波レベル−ＳＩＲ＋拡散利得）である。
このような動作により、希望波レベル及び干渉波レベルをそれぞれ精度良く測定することができる。
【００４７】
以上のように、本例の受信レベル測定回路では、受信信号の電界強度（ＲＳＳＩ）を検出する受信信号電界強度検出機能（ＲＳＳＩ検出部１）と、受信信号を直交検波する直交検波機能（直交検波部１３など）と、直交検波された受信信号から希望波成分と干渉波成分を検出してそれぞれの電力及びその電力比（希望波電力対干渉波電力比：ＳＩＲ）を求める複数の希望波干渉波検出機能（希望波干渉波検出部Ａ１〜ＡＮ）と、複数の希望波干渉波検出機能により検出された希望波成分電力を合成して合成希望波電力として出力する合成希望波電力算出機能（加算器１５）と、複数のＳＩＲから合成後のＳＩＲを求めるＳＩＲ合成機能（加算器１６）と、所定の補正方法により補正されたＲＳＳＩを用いて合成希望波電力を補正する合成希望波電力補正機能（希望波レベル補正部１８）と、補正後の合成希望波電力と合成後のＳＩＲから合成後の干渉波電力を求める合成干渉波電力算出機能（干渉波レベル補正部１９）を備えた。
【００４８】
また、本例の受信レベル測定回路では、検出された電界強度（ＲＳＳＩ）が受信機の帯域内雑音を無視できないレベルになった場合には、検出された電界強度（ＲＳＳＩ）に応じて仮想雑音レベルを加算することにより検出された電界強度（ＲＳＳＩ）を補正する補正方法を用いており、当該補正後のＲＳＳＩを希望波レベルの補正に使用する。
以上のように、本例の受信レベル測定回路では、上記のような受信品質測定法により、希望波成分、干渉波成分を分離して測定し、なおかつ受信機無線部における帯域内雑音の近傍レベルにおいても、線形性を保って測定を行うことができる。
【００４９】
このように、本例の受信レベル測定回路では、ＡＧＣ部１１が正常に動作しない領域（雑音レベル＞希望波レベル）において線形に検出することができる希望波レベルと、それ以外の領域で線形に検出することができるＲＳＳＩを組み合わせて、補正後の希望波レベルを求めるに際して、帯域内雑音の近傍において、検出ＲＳＳＩに仮想雑音を加算する補正を行うことにより、受信レベルを線形に検出することが可能である。
【００５０】
ここで、本例の受信レベル測定回路では、例えば、後述する図５〜図１０を用いて示す受信レベル測定回路の説明で用いる式８、式９と同一の式或いは同様な式を用いて補正後の希望波レベルや補正後の干渉波レベルを検出することも可能である。
一例として、本例では、後述する式８において、式８中のＲＳＳＩ（検出ＲＳＳＩ）の代わりにＲＳＳＩ補正部５による補正後ＲＳＳＩを用いて、式８中のＲＳＳＩ＿ＦＬＲ（検出ＲＳＳＩの下限値）の代わりに補正後ＲＳＳＩについての下限値を用いる。
また、例えば、後述する図５〜図１０を用いて示す受信レベル測定回路のような構成において、電圧／ｄＢ変換部４４と希望波レベル補正部５１との間に本例のようなＲＳＳＩ補正部を設けるような構成を用いることも可能である。
【００５１】
また、本例の受信レベル測定回路では、例えば、後述する図５〜図１０を用いて示す受信レベル測定回路と同様なものと組み合わせることも可能である。一例として、入力電力のレベルが帯域内雑音の近傍のレベルである場合などの所定のレベル範囲である場合には本例の受信レベル測定回路のような構成及び動作を使用し、入力電力のレベルが他のレベル範囲である場合には後述する図５〜図１０を用いて示す受信レベル測定回路のような構成及び動作を使用することが可能である。
【００５２】
なお、本例の受信レベル測定回路では、ＲＳＳＩ検出部１の機能により電界強度検出手段が構成されており、ＲＳＳＩ平均化部３の機能やＲＳＳＩ補正部５の機能により電界強度補正手段が構成されており、ＡＧＣ部１１の機能により無線周波数帯域受信信号利得制御手段が構成されており、発振器１２の機能や直交検波部１３の機能によりベースバンド変換手段が構成されており、希望波干渉波検出部Ａ１〜ＡＮ及び加算器１５の機能により希望波レベル検出手段が構成されており、希望波レベル補正部１８の機能により希望波レベル補正手段が構成されている。
【００５３】
次に、図５〜図１０を参照して、本発明に関する技術の例を示す（特許文献２参照。）。
本技術例は、移動通信システムの受信機で用いられる受信レベル測定方法及び受信レベル測定回路に関し、特に、受信機の帯域内雑音以下の受信レベルであっても精度良く受信レベルが測定できる受信レベル測定方法及び受信レベル測定回路に関する。
本技術例は、希望波レベル、干渉波レベルを分離して測定し、なおかつ受信機無線部の帯域内雑音以下のレベルまで正確に測定可能な受信レベル測定方法及び受信レベル測定回路を提供することを目的とする。
【００５４】
本技術例の概要（１）〜（５）を示す。
（１）検出された電界強度が予め定められた特定値以下となった場合は、希望波電力のレベルを希望波受信レベルとして出力し、前記検出された電界強度が前記特定値を上回った場合は、前記希望波電力のレベルに前記検出された電界強度のレベルを加算する補正を行い、希望波受信レベルとして出力することを特徴とする受信レベル測定方法。
この構成では、希望波レベル、干渉波レベルを分離して測定し、受信電界強度が特定値以下（帯域内雑音以下）の場合には希望波電力のレベルを希望波受信レベルとし、特定値を上回る（帯域内雑音以上の）場合には、希望波電力のレベルに電界強度のレベルを加算して補正し、希望波受信レベルとしているので、受信機無線部の帯域内雑音以下のレベルまで測定可能とすることができる。
【００５５】
（２）受信信号の電界強度を検出する受信信号電界強度検出手段と、受信信号を直交検波する直交検波手段と、前記直交検波された受信信号から複数の希望波と複数の干渉波とを検出する希望波／干渉波検出手段と、前記検出された複数の希望波成分を加算して電力化し、希望波電力として出力する希望波成分電力化手段と、前記検出された電界強度が予め定められた特定値以下となった場合は、前記希望波電力のレベルを希望波受信レベルとして出力し、前記検出された電界強度が前記特定値を上回った場合は、前記希望波電力のレベルに前記検出された電界強度のレベルを加算する補正を行い、希望波受信レベルとして出力する希望波レベル補正手段とを備えることを特徴とする受信レベル測定回路。
この構成では、希望波レベル、干渉波レベルを分離して測定し、受信電界強度が特定値以下（帯域内雑音以下）の場合には希望波電力のレベルを希望波受信レベルとし、特定値を上回る（帯域内雑音以上の）場合には、希望波電力のレベルに電界強度のレベルを加算して補正し、希望波受信レベルとしているので、受信機無線部の帯域内雑音以下のレベルまで測定可能とすることができる。
【００５６】
（３）希望波／干渉波検出手段で検出された複数の干渉波成分を平均化して干渉波受信レベルを出力する干渉波成分平均化手段と、前記干渉波成分平均化手段からの出力に、拡散率と固定補正値にて補正を行って干渉波受信レベルを出力する干渉波レベル補正手段を設け、希望波レベル補正手段は、特定値を基準とした補正の他に、拡散率と固定補正値とを用いた補正を行う手段であることを特徴とする前記（２）記載の受信レベル測定回路。
【００５７】
（４）希望波／干渉波検出手段は、参照用の拡散符号を生成する符号生成部と、デジタル変換されたベースバンドの受信信号と前記符号生成部の出力である参照用符号との相関演算を行い、逆拡散する逆拡散部と、逆拡散後の信号について振幅レベル検出結果により当該逆拡散後の信号のレベルを正規化し、正規化後の受信信号を出力するデジタルＡＧＣ部と、前記デジタルＡＧＣ部から出力された信号の振幅レベルを検出し、振幅レベル検出結果を出力する振幅レベル検出部と、参照用パイロットシンボルを生成する参照用パイロットシンボル生成部と、前記デジタルＡＧＣ部と前記振幅レベル検出部の閉ループから出力された正規化後の信号のパイロットシンボルと前記参照用パイロットシンボルとの複素共役乗算を行い、振幅位相変動量を求める複素乗算器と、前記振幅位相変動量を平均化して希望波成分ベクトルを出力する振幅位相変動量平均化部と、前記平均化された振幅位相変動量と前記平均化の前の振幅位相変動量との差分を求め、干渉波成分ベクトルを出力する加算器と、前記振幅位相変動量平均化部から出力された希望波成分ベクトルと前記干渉波成分ベクトルを入力して、正規化された信号成分を補正して希望波成分ベクトルと干渉波成分ベクトルを出力するデジタルＡＧＣ補正部と、前記デジタルＡＧＣ補正部からの希望波成分ベクトルをスカラーに変換するベクトル／スカラー変換部と、前記デジタルＡＧＣ補正部からの干渉波成分ベクトルを電力化する干渉波成分電力化部と、前記電力化された干渉波成分を指数重み付け平均化する指数重み付け平均化部とを備えることを特徴とする前記（３）記載の受信レベル測定回路。
【００５８】
（５）前記（２）乃至（４）記載の受信レベル測定回路を備え、送信電力の制御に前記受信レベル測定回路からの出力を利用する基地局又は移動局を有することを特徴とする通信システム。
この構成では、受信機無線部の帯域内雑音以下のレベルまで測定された受信レベルで有効なる送信電力の制御を行うことができる。
【００５９】
本技術例の具体例を示す。
本技術例の実施の形態について図面を参照しながら説明する。
なお、以下で説明する機能実現手段は、当該機能を実現できる手段であれば、どのような回路又は装置であっても構わず、また機能の一部又は全部をソフトウエアで実現することも可能である。更に、機能実現手段を複数の回路によって実現してもよく、複数の機能実現手段を単一の回路で実現してもよい。
【００６０】
上位概念的に説明すると、本技術例に係る受信レベル測定方法及び受信レベル測定回路は、検出された電界強度が予め定められた帯域内雑音以下となった場合は、希望波電力のレベルを希望波受信レベルとして出力し、検出された電界強度が帯域内雑音以上となった場合は、希望波電力のレベルに検出された電界強度のレベルを加算する補正を行い、希望波受信レベルとして出力するものであり、希望波レベル、干渉波レベルを分離して測定し、受信機無線部の帯域内雑音以下のレベルまで測定可能とすることができる。
【００６１】
機能実現手段で説明すると、本技術例に係る受信レベル測定回路は、受信信号の電界強度を検出する受信信号電界強度検出手段と、受信信号を直交検波する直交検波手段と、直交検波された受信信号から複数の希望波と複数の干渉波とを検出する希望波／干渉波検出手段と、検出された複数の希望波成分を加算して電力化する希望波成分電力化手段と、検出された電界強度が予め定められた帯域内雑音以下となった場合は、希望波電力のレベルを希望波受信レベルとして出力し、検出された電界強度が帯域内雑音以上となった場合は、希望波電力のレベルに検出された電界強度のレベルを加算する補正を行い、希望波受信レベルとして出力する希望波レベル補正手段とを備える受信レベル測定回路としており、希望波レベル、干渉波レベルを分離して測定し、受信機無線部の帯域内雑音以下のレベルまで測定可能とすることができる。
【００６２】
なお、本技術例の実施の形態における各手段と図５の各部との対応を示すと、受信信号電界強度検出手段は、ＲＳＳＩ検出部４１、Ａ／Ｄ部４２、ＲＳＳＩ平均化部４３、電圧／ｄＢ変換部４４に相当し、直交検波手段は、ＡＧＣ部４５、直交検波部４７、発振器４６、Ａ／Ｄ部４８に相当し、希望波／干渉波検出手段は、希望波／干渉波検出部Ｂ１〜ＢＮに相当し、希望波成分電力化手段は、加算器４９、希望波成分電力化部５０に相当し、干渉波成分平均化手段は、干渉波成分平均化部５２、真値／ｄＢ変換部５４に相当し、希望波レベル補正手段は、希望波レベル補正部５３、真値／ｄＢ変換部５４に相当し、干渉波レベル補正手段は、干渉波レベル補正部５３、真値／ｄＢ変換部５４に相当している。
【００６３】
まず、本技術例に係る受信レベル測定回路の構成について図５を使って説明する。
図５は、本技術例に係る受信レベル測定回路の構成ブロック図である。
本技術例の受信レベル測定回路は、従来の受信レベル測定回路と同様の部分として、ＲＳＳＩ検出部４１と、Ａ／Ｄ部（Ａ／Ｄ変換部）４２と、ＲＳＳＩ平均化部４３と、電圧／ｄＢ変換部４４とから構成され、更に本技術例の特徴部分として、ＡＧＣ部４５と、直交検波部４７と、発振器４６と、Ａ／Ｄ部４８と、複数の希望波／干渉波検出部Ｂ１〜ＢＮと、加算器４９と、希望波成分電力化部５０と、希望波レベル補正部５１と、干渉成分平均化部５２と、干渉波レベル補正部５３と、真値／ｄＢ変換部５４とが設けられている。
【００６４】
次に、本装置の各部について具体的に説明する。
なお、従来と同様の構成部分であるＲＳＳＩ検出部４１とＡ／Ｄ部４２とＲＳＳＩ平均化部４３と電圧／ｄＢ変換部４４は、動作も従来と全く同様であるので説明を省略し、本技術例の特徴部分について具体的に説明する。
ＡＧＣ部４５は、自動利得制御（ＡＧＣ：Ａｕｔｏｍａｔｉｃ  Ｇａｉｎ  Ｃｏｎｔｒｏｌ）を行うもので、ＲＳＳＩ検出部４１において検出されたＲＳＳＩ電圧を用いて、受信電力を一定にするよう増幅（又は減衰）する。直交検波部４７は、無線周波数帯域の受信信号を復調し、ベースバンドの同相、直交成分にダウンコンバートする。発振器４６は、直交検波部４７に搬送波を出力する。Ａ／Ｄ部４８は、直交検波部４７においてダウンコンバートされたアナログベースバンド受信信号をデジタル値に変換する。
【００６５】
希望波／干渉波検出部Ｂ１〜ＢＮは、デジタル変換されたベースバンド受信信号から希望波成分、干渉波成分を検出するもので、拡散符号毎に複数設けられている。ＤＣ−ＣＤＭＡ方式においては、マルチパスを分離して、各パス毎に希望波成分、干渉波成分を検出するために用いられる。なお、内部の詳細については、後述する。
加算器４９は、複数の希望波／干渉波検出部Ｂ１〜ＢＮからの希望波成分を加算して合成する。
【００６６】
希望波成分電力化部５０は、加算器４９からの出力である加算後の希望波成分を電力化する。希望波レベル補正部５１は、電圧／ｄＢ変換部４４においてｄＢ変換された平均化後のＲＳＳＩと、ＲＳＳＩ検出部４１の検出下限値と、送信側での拡散変調により拡散された信号の拡散率と、受信機において測定された希望波レベルを絶対電力値に補正するための固定補正値とを入力とし、希望波成分電力化部５０からの希望波成分電力を補正する。補正の詳細については、後述する。
【００６７】
干渉成分平均化部５２は、複数の希望波／干渉波検出部Ｂ１〜ＢＮからの干渉波成分を平均化する。干渉波レベル補正部５３は、送信側での拡散変調により拡散された信号の拡散率と、受信機において測定された干渉波レベルを絶対電力値に補正するための固定補正値とを入力とし、干渉成分平均化部５２からの干渉波成分電力を補正する。真値／ｄＢ変換部５４は、希望波レベル補正部５１の出力である補正後希望波レベルと、干渉波レベル補正部５３の出力である補正後干渉波レベルを、それぞれｄＢ変換する。
【００６８】
次に、本技術例に係る受信レベル測定回路の希望波／干渉波検出部Ｂ１〜ＢＮの内部構成について、図６を用いて説明する。
図６は、本技術例に係る希望波／干渉波検出部Ｂ１〜ＢＮの内部構成を示すブロック図である。本技術例に係る希望波／干渉波検出部Ｂ１〜ＢＮの内部は、図６に示すように、符号生成部６１と、逆拡散部６２と、デジタルＡＧＣ部６３と、振幅レベル検出部６４と、参照用パイロットシンボル生成部６５と、複素乗算器６６と、振幅位相変動量平均化部６７と、加算器６８と、デジタルＡＧＣ補正部６９と、ベクトル／スカラー変換部７０と、干渉波成分電力化部７１と、指数重み付け平均化部７２とから構成されている。
【００６９】
希望波／干渉波検出部Ｂ１〜ＢＮの内部の各部について説明する。
符号生成部６１は、参照用の拡散符号を生成するもので、各希望波／干渉波検出部Ｂ１〜ＢＮで異なる拡散符号が生成される。逆拡散部６２は、Ａ／Ｄ部４８の出力であるベースバンドの受信信号と、符号生成部６１の出力である参照用拡散符号との相関演算を行い逆拡散する。
【００７０】
デジタルＡＧＣ部６３は、逆拡散後の信号レベルを後述の振幅レベル検出部６４における振幅レベル検出結果に基づく正規化情報に従って正規化する。振幅レベル検出部６４は、逆拡散後の信号の振幅レベルを検出し、デジタルＡＧＣ部６３で正規化を行うための正規化情報を出力する。なお、デジタルＡＧＣ部６３と振幅レベル検出部６４による正規化（デジタルＡＧＣ）動作の具体例については、後述の動作説明の中で詳しく説明する。
【００７１】
参照用パイロットシンボル生成部６５は、後述する振幅位相変動量を求めるための参照用パイロットシンボルを生成する。複素乗算器６６は、正規化後の受信信号と参照用パイロットシンボルとの複素共役乗算を行い振幅位相変動量を求め、希望波成分ベクトルとする。振幅位相変動量平均化部６７は、振幅位相変動量を平均化する。加算器６８は、振幅位相変動量平均化部６７の出力である平均化後振幅位相変動量と、平均前の振幅位相変動量との差分を求め、干渉波成分ベクトルとする。デジタルＡＧＣ補正部６９は、デジタルＡＧＣ部６３で行ったデジタルＡＧＣ成分を補正する。ベクトル／スカラー変換部７０は、希望波成分ベクトルをスカラーに変換する。干渉波成分電力化部７１は、干渉波成分ベクトルの電力を求める。指数重み付け平均化部７２は、電力化された干渉波成分を長区間にわたり指数重み付け平均する。
【００７２】
次に、本技術例に係る受信レベル測定回路の動作について、図５及び図６を用いて説明する。
本技術例に係る受信レベル測定回路では、受信機に入力された無線周波数帯域の受信信号が、ＲＳＳＩ検出部４１に入力され、ＲＳＳＩが検出されてアナログの電圧値で出力され、Ａ／Ｄ部４２でデジタル値に変換され、ＲＳＳＩ平均化部４３において所定の平均化を施され、電圧／ｄＢ変換部４４にてｄＢ値に変換されて、受信機に入力された信号の受信レベルの測定結果がＲＳＳＩのｄＢ値で出力される。
【００７３】
一方、入力された無線周波数帯域の受信信号は、ＲＳＳＩ検出部４１で検出されたＲＳＳＩ電圧を用いて、ＡＧＣ部４５にて利得制御が行われ、受信電力が一定になるように制御される。そして、さらに直交検波部４７において、発振器４６からの搬送波によりベースバンドの同相、直交成分にダウンコンバートされる。ダウンコンバートされたベースバンドの受信信号は、Ａ／Ｄ部４８でデジタル信号に変換され、複数の希望波／干渉波検出部Ｂ１〜ＢＮに並列に入力される。
【００７４】
ここで、希望波／干渉波検出部Ｂ１〜ＢＮの内部の動作について説明する。
各希望波／干渉波検出部Ｂ１〜ＢＮの内部では、入力されたベースバンドのデジタル受信信号が逆拡散部６２に入力され、各符号生成部６１から出力されるの参照用の拡散符号との相関演算が行われて逆拡散され、逆拡散後の受信シンボルが、デジタルＡＧＣ部６３に入力される。
【００７５】
ここで、デジタルＡＧＣ部６３と振幅レベル検出部６４の動作について図７を用いて説明する。
図７は、逆拡散後のデジタルＡＧＣ部の動作を説明する図であり、（ａ）は、逆拡散後の受信レベルが小さい場合の動作を示し、（ｂ）は、逆拡散後の受信レベルが大きい場合の動作を示している。図７（ａ）、（ｂ）において、Ａ（ａｘ、ａｙ）は逆拡散後の受信シンボルを示し、Ａ’（ａｘ’、ａｙ’）はデジタルＡＧＣ後の受信シンボルを示している。
【００７６】
説明を簡単にするために、まず、振幅レベル検出部６４の説明を行う。
振幅レベル検出部６４では、図７中のＡ点に受信シンボルがあることを検出し、正規化するためにベクトルＡの振幅を図７（ａ）の場合は何倍すべきかを求め、図７（ｂ）の場合は何分の一すべきかを求める。或いは、回路簡単のため、図７（ａ）の場合は何ビット左シフトすると正規化されるかを求め、図７（ｂ）の場合は何ビット右シフトすると正規化されるかを求める方法もある。仮にこの左右のシフト量をデジタルＡＧＣシフト量とすると、このデジタルＡＧＣシフト量が正規化情報としてデジタルＡＧＣ部６３に入力される。
【００７７】
デジタルＡＧＣ部６３では、このデジタルＡＧＣシフト量に基づき、図７（ａ）、（ｂ）で示すように、受信シンボルの振幅を制御し出力する。このデジタルＡＧＣ部６３と振幅レベル検出部６４でデジタルＡＧＣシフト量を用いて閉ループを組むことにより、逆拡散後の受信シンボルの振幅を一定にすることができる。このデジタルＡＧＣの動作により後段の複素乗算器６６を固定小数点フォーマットで構成する場合、固定小数点フォーマットの管理やアンダーフローによる測定精度の劣化を防ぐことができる。
【００７８】
デジタルＡＧＣ部６３及び振幅レベル検出部６４によるデジタルＡＧＣ後の受信シンボルのうちパイロットシンボル部分は、参照用パイロットシンボル生成部６５から出力される参照用パイロットシンボルと複素乗算器６６にて複素共役乗算を施され、その計算結果が振幅位相変動量として出力される。そして、複素乗算器６６から出力される振幅位相変動量は、振幅位相変動量平均化部６７にて所定のパイロットシンボル数分の平均化が行われ、この平均化後の振幅位相変動量が希望波成分ベクトルとなる。また、複素乗算器６６から出力される平均前の振幅位相変動量と、振幅位相変動量平均化部６７から出力される平均化後の振幅位相変動量との差分が加算器６８でとられ、これが干渉波成分ベクトルとなる。
【００７９】
デジタルＡＧＣ補正部６９では、希望波成分ベクトルと干渉波成分ベクトルのそれぞれについて、前述したデジタルＡＧＣ部６３及び振幅レベル検出部６４で行ったデジタルＡＧＣの成分をそれぞれ補正する。デジタルＡＧＣ成分を補正した希望波成分ベクトルは、ベクトル／スカラー変換部７０にてその大きさ（スカラー）が求められて出力される。一方、デジタルＡＧＣ成分を補正した干渉波成分ベクトルは、干渉波成分電力化部７１で電力化及び平均化が行われ、更に指数重み付け平均化部７２において長区間にわたる平均化が行われて出力される。
【００８０】
ここで、この希望波成分及び干渉波成分について図８、図９及び式を用いて説明する。
図８は、フレームフォーマットの例を示す図であり、図９は、振幅位相変動量の平均化の様子を示す図である。
受信した信号には、図８に示すようにパイロットシンボルＰ１〜Ｐ４が周期的に挿入されているとする。そして、パイロットシンボルＰ１〜Ｐ４における振幅位相変動量ベクトルが図９に示すベクトルＰ１〜ベクトルＰ４であるとすると、平均化後の振幅位相変動量ベクトルは、図９に示すベクトルＲになる。また、デジタルＡＧＣ成分の補正値をＡとすると、希望波成分ベクトルのデジタルＡＧＣ補正部６９出力は、式１のように表される。
【００８１】
【数１】
2006080585.tif 000003
【００８２】
そして、更に、希望波成分ベクトルに対してベクトル／スカラー変換部７０においてベクトル／スカラー変換を行うと、その出力Ｓは、式２で表すことができる。
【００８３】
【数２】
2006080585.tif 000004
【００８４】
一方、平均化後の振幅位相変動量Ｒに対する平均前の振幅位相変動量Ｐ１〜Ｐ４の分散、すなわち干渉波成分ベクトルの分散で表される干渉波成分Ｉは、干渉波成分電力化部７１からの出力であり、式３のように表される。
【００８５】
【数３】
2006080585.tif 000005
【００８６】
更に、干渉波成分は指数重み付け平均化部７２において長区間にわたり平均化が行われ、複数の希望波／干渉波検出部Ｂ１〜ＢＮにおいて、各々、希望波成分（Ｓ）、干渉波成分（Ｉ）を求めることができる。ＤＳ−ＣＤＭＡ方式においては、マルチパスを逆拡散により分離することが可能なので、分離された遅延波をそれぞれ希望波／干渉波検出部Ｂ１〜ＢＮに割り当ててやることにより、各パス毎の希望波成分（Ｓ）、干渉波成分（Ｉ）を求め、それを合成、平均することにより求める希望波レベル、干渉波レベルを得ることができる。
【００８７】
次に、複数の希望波／干渉波検出部Ｂ１〜ＢＮからの希望波成分（Ｓ）、干渉波成分（Ｉ）から、合成、平均後の希望波レベル、干渉波レベルを得る動作について説明する。
希望波成分（Ｓ）に関しては、各希望波／干渉波検出部Ｂ１〜ＢＮにおいて検出された希望波成分（式２）が、加算器４９で加算され、これにより分離された各パスの希望波成分の和が求められて、合成後の希望波成分を求めることができ、更に希望波成分電力化部５０で、合成された希望波成分が電力化される。一方、干渉波成分（Ｉ）は、各パス毎の干渉波成分（式３）が、干渉波成分平均化部５２にて更に平均化される。これは、逆拡散により分離された各パスを合成する、いわゆるＲＡＫＥ合成によって、希望波成分は合成され、また、干渉成分は各パス独立なので合成後は平均化されて抑圧されることを利用したものである。
【００８８】
次に、希望波成分、干渉波成分の補正方法の概念について図１０を用いて説明する。
図１０は、ベースバンド検出の希望波成分とＲＳＳＩの関係を模式的に示す図である。
図１０に示すように、受信電界が帯域内雑音レベル近傍になると（図中領域Ａ）、ＲＳＳＩ検出部４１〜電圧／ｄＢ変換部４４で検出される無線部検出のＲＳＳＩは、フロアを引いてしまい正しく検出されなくなり、無線部ＡＧＣも適切にはかからなくなる。一方、ベースバンドでの希望波成分は、領域Ａでは線形に検出することができる。
【００８９】
これに対して、図中領域Ｂだと、無線部ＲＳＳＩが正しく検出できるために、無線部ＡＧＣが正しくかかり、そのため、ベースバンドでの希望波成分はフロアを引いてしまい正しく検出できない。そこで、ベースバンドで検出された希望波成分と、ＲＳＳＩ検出部４１〜電圧／ｄＢ変換部４４で検出される無線部検出のＲＳＳＩとを用いて、領域Ａではベースバンドで検出された希望波成分をそのまま利用し、領域Ｂではベースバンドで検出された希望波成分に無線部のＲＳＳＩを補正値として加えることにより、全受信電界領域において適切なる受信レベル検出を行うことができる。
【００９０】
上記補正方法を実現する具体的な方法について説明する。
まず、ＲＳＳＩ検出部４１〜電圧／ｄＢ変換部４４で検出できる無線部のＲＳＳＩの下限値をアナログのパラメータとして予め希望波レベル補正部５１に保持しておく。図１０においては、ＲＳＳＩの曲線が、領域Ａと領域Ｂとの境界線と交わる辺りの値をＲＳＳＩの下限値とする。そして、検出された無線部のＲＳＳＩが、この下限値に達して下限値以下になると無線部ＲＳＳＩによる補正を行わないようにする。すなわち、補正後希望波レベル＝補正前希望波レベル＋（無線部検出ＲＳＳＩ−無線部検出ＲＳＳＩ下限値）である。この式により、無線部において正しくＡＧＣがかからない領域（図１０中領域Ａ）ではＲＳＳＩの値の信頼性は低いのでＲＳＳＩによる補正は行わずに、正しくＡＧＣがかかる領域（図１０中領域Ｂ）ではＲＳＳＩによる補正が実現できる。
【００９１】
更に、希望波レベル補正部５１では、ベースバンド検出の希望波レベルを絶対電力に直す補正を行う。これは、送信側で拡散変調することにより得られる拡散利得と、希望波／干渉波検出部Ｂ１〜ＢＮの演算に対する固定の補正値とをパラメータとして保持しておき、これを上記無線部ＲＳＳＩによる補正の後に、希望波レベルに加えることにより、求める希望波レベルの絶対電力値を得ることができる。
【００９２】
ここで、上記希望波／干渉波検出部Ｂ１〜ＢＮの演算に対する固定の補正値の一例について説明する。
ここで、受信機で受信した受信波に干渉が無い場合を考える、すなわち受信電力は全て希望波である。この場合、ベースバンドで逆拡散を行うと拡散利得が得られる。すなわち、理想希望波レベル＝干渉が無い場合における無線部ＲＳＳＩ＋拡散利得である。この理想希望波レベルに対してベースバンドで検出する希望波レベルは、演算時のフォーマットや実現法によって固定のオフセットがかかる。このオフセットを吸収するために、干渉が無い状態である受信信号を入力したときの理想希望波レベルと測定希望波レベルとの差を固定の補正値パラメータとして保持しておき、測定希望波レベルにこの補正値を加えることによって、絶対電力値に直すことができる。
【００９３】
また、干渉波レベル補正部５３では、この固定の補正のみが行われ、絶対電力値に補正されるようになっている。上記の補正の後、補正後希望波レベルと補正後干渉波レベルは、それぞれ真値／ｄＢ変換部５４においてｄＢ変換されて出力され、希望波レベル、干渉波レベルの測定結果が出力されるようになっている。
【００９４】
次に、本技術例の実施の形態に係る受信レベル測定回路を、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多重方式）の基地局に採用した場合を例に説明する。
Ｗ−ＣＤＭＡの基地局では、クローズドループ（閉ループ）送信電力制御のために受信レベル測定と受信スロット平均ＳＩＲ（Ｓｉｇｎａｌ−ｔｏ−Ｉｎｔｅｒｆｅｒｅｎｃｅ  Ｒａｔｉｏ：希望波対干渉波電力比）検出を行う。レベル測定、ＳＩＲ測定は、ユーザ情報、制御情報転送用チャネルＤＣＨ（Ｄｅｄｉｃａｔｅｄ  ＣＨａｎｎｅｌ）の物理チャネルであるＤＰＣＨ（Ｄｅｄｉｃａｔｅｄ  Ｐｈｙｓｉｃａｌ  ｄａｔａ  ＣＨａｎｎｅｌ）の中の１つである制御情報用チャネルＤＰＣＣＨ（Ｄｅｄｉｃａｔｅｄ  Ｐｈｙｓｉｃａｌ  Ｃｏｎｔｒｏｌ  ＣＨａｎｎｅｌ）にて伝送されるパイロットシンボルを用いて行われる。
【００９５】
次に、Ｗ−ＣＤＭＡの基地局におけるレベル測定、ＳＩＲ測定のアルゴリズムについて、図５と図６とを対応付けながら説明する。
ＤＰＣＣＨの各パスの逆拡散信号（各希望波／干渉波検出部Ｂ１〜ＢＮにおける逆拡散部６２出力）に対して、まず、デジタルＡＧＣをかける（デジタルＡＧＣ部６３、振幅レベル検出部６４）。これは、後続の検波部（参照用パイロットシンボル生成部６５、複素乗算器６６に相当）に対する有効語調を最適化するために使用している。そして、デジタルＡＧＣ後のＤＰＣＣＨのパイロットシンボルと参照用パイロットシンボルとの複素共役乗算（参照用パイロットシンボル生成部６５、複素乗算器６６）により、各シンボルのチャネル変動量Ｐｒｏｔ（ｉ）を求め、チャネル変動量Ｐｒｏｔ（ｉ）の同相成分、直交成分を個別に平均化し、式４によりＰｒｏｔ（ａｖｅ）を求め、希望波成分とする（振幅位相変動量平均化部６７出力）。ここで、同相成分、直交成分を個別に平均化することにより、雑音の影響による希望波成分の誤差を抑圧し、希望波成分の測定精度を向上させることができる。
【００９６】
【数４】
2006080585.tif 000006
【００９７】
また、この平均化後のチャネル変動量Ｐｒｏｔ（ａｖｅ）と、平均化前の各シンボルにおけるチャネル変動量Ｐｒｏｔ（ｉ）との差分Ｐｄｉｆｆ（ｉ）を求め、干渉波成分とする（加算器６８出力）。
【００９８】
そして、このＰｒｏｔ（ａｖｅ）に対して、デジタルＡＧＣ分の補正を補正項Ａにより行い、これをパス毎のＳとして式５により求める（ベクトル／スカラー変換部７０出力、つまり希望波／干渉波検出部Ｂ１〜ＢＮからの希望波出力）。また、Ｐｄｉｆｆ（ｉ）に対しても、同様にデジタルＡＧＣ分の補正を補正項Ａにより行った後電力化して、更に平均化してこれをパス毎の干渉波電力Ｐｏｗ＜Ｉ＞として式６により求める（指数重み付け平均化部７２出力、つまり希望波／干渉波検出部Ｂ１〜ＢＮからの干渉波出力）。
【００９９】
【数５】
2006080585.tif 000007
【０１００】
【数６】
2006080585.tif 000008
【０１０１】
ここで、複数フィンガ存在するときは、このパス毎のＳを振幅加算（加算器４９）した後、電力化してＲＡＫＥ合成後の希望波電力Ｐｏｗ＜Ｓ＞とし（希望波成分電力化部５０）、また、パス毎のＰｏｗ＜Ｉ＞を平均化し（干渉成分平均化部５２）、これをＲＡＫＥ合成後の干渉波電力（平均）Ｐｏｗ＜Ｉ＞とする（式７）。
【０１０２】
【数７】
2006080585.tif 000009
【０１０３】
以上のように求めた希望波電力ｐｏｗ＜Ｓ＞から、送信側でＤＰＣＣＨに乗せられるＧ値（Ｇａｉｎ  Ｆａｃｔｏｒ）分の補正と、前記した特定値を基準とした補正、及び拡散率と固定補正値とを用いた補正を行っ希望波受信レベルを求める。更に、干渉波電力（平均）Ｐｏｗ＜Ｉ＞から、前記した拡散率と固定補正値とを用いた補正を行って干渉波受信レベルを求める。この補正後の希望波受信レベル、干渉波受信レベルからＳＩＲを求めることができる。
【０１０４】
補正式を以下に示す。補正後の希望波受信レベルをＲＳＣＰとすると、ＲＳＣＰは式８のように表される。式８では、ＲＳＳＩは無線部で検出されるＲＳＳＩを示し、Ｇは送信側ＤＰＣＣＨに乗ぜられるＧ値（Ｇａｉｎ  Ｆａｃｔｏｒ）を示し、ＲＳＳＩ＿ＦＬＲは無線部で検出できるＲＳＳＩの下限値を示し、ＰＧは拡散率を示し、ＦＩＸＥＤ＿ＣＰＳＴは固定補正値を示す。
【０１０５】
【数８】
2006080585.tif 000010
【０１０６】
一方、干渉波レベルをＩＳＣＰとすると、ＩＳＣＰは、式９のように表される。
【０１０７】
【数９】
2006080585.tif 000011
【０１０８】
その結果、ＳＩＲは、式８及び式９から式１０で導き出される。
【０１０９】
【数１０】
2006080585.tif 000012
【０１１０】
なお、上記説明した受信レベル測定回路に関して、ＤＳＰ（Ｄｉｇｉｔａｌ  Ｓｉｇｎａｌ  Ｐｒｏｃｅｓｓｏｒ）にて実現可能である。
【０１１１】
本技術例に係る実施の形態の受信レベル測定回路によれば、複数の希望波／干渉波検出部Ｂ１〜ＢＮにおいて、逆拡散によりマルチパスを分離し、分離された遅延波から各パス毎の希望波成分と干渉波成分を検出し、各希望波／干渉波検出部Ｂ１〜ＢＮで検出された希望波成分は加算器４９で合成し、干渉波成分は、干渉成分平均化部５２で平均化しているので、希望波レベル、干渉波レベルを別々に測定でき、受信波に含まれる不要な干渉波成分を除いた希望波成分のレベルを受信レベルとして取得できる効果がある。
【０１１２】
また、本技術例に係る受信レベル測定回路によれば、各希望波／干渉波検出部Ｂ１〜ＢＮで検出された希望波成分を合成した希望波レベルに対して、希望波レベル補正部５１において、帯域内雑音以下のレベルでは、希望波レベルをそのまま用い、帯域内雑音以上のレベルでは、希望波レベルに無線部検出のＲＳＳＩを加えて補正し、受信レベル測定結果としているので、受信機無線部の帯域内雑音以下のレベルまで測定可能な受信レベル測定回路を実現できる効果がある。
【０１１３】
そして、本技術例に係る受信レベル測定回路をＣＤＭＡ無線通信システムの基地局及び移動局に採用することによって、検出された電界強度が予め定められた特定値（ＲＳＳＩの下限値）以下となった場合は、希望波電力のレベルを希望波受信レベルとして出力し、検出された電界強度が特定値を上回った場合は、希望波電力のレベルに検出された電界強度のレベルを加算する補正を行い、希望波受信レベルとして出力するので、受信レベルを全受信電界にわたって精度良く測定でき、閉ループ制御型の送信電力制御を有効に行うことができる効果がある。具体的には、本技術例に係る受信レベル測定回路を備え、送信電力の制御に受信レベル測定回路からの出力を利用する送受信機を、基地局又は移動局に設置することで実現できる。
【０１１４】
本技術例によれば、検出された電界強度が予め定められた特定値以下となった場合は、希望波電力のレベルを希望波受信レベルとして出力し、検出された電界強度が特定値を上回った場合は、希望波電力のレベルに検出された電界強度のレベルを加算する補正を行い、希望波受信レベルとして出力する受信レベル測定方法としているので、希望波レベル、干渉波レベルを分離して測定し、受信電界強度が特定値以下（帯域内雑音以下）の場合には希望波電力のレベルを希望波受信レベルとし、特定値を上回る（帯域内雑音以上）場合には、希望波電力のレベルに電界強度のレベルを加算して補正し、希望波受信レベルとしているので、受信機無線部の帯域内雑音以下のレベルまで測定可能とすることができる効果がある。
【０１１５】
また、本技術例によれば、受信信号電界強度検出手段で受信信号の電界強度を検出し、直交検波手段で受信信号を直交検波し、希望波／干渉波検出手段で直交検波された受信信号から複数の希望波と複数の干渉波とを検出し、希望波成分電力化手段で検出された複数の希望波成分を加算して電力化し、希望波電力として出力し、希望波レベル補正手段で検出された電界強度が予め定められた特定値以下となった場合は、希望波電力のレベルを希望波受信レベルとして出力し、検出された電界強度が特定値を上回った場合は、希望波電力のレベルに検出された電界強度のレベルを加算する補正を行い、希望波受信レベルとして出力する受信レベル測定回路としているので、希望波レベル、干渉波レベルを分離して測定し、受信電界強度が特定値以下（帯域内雑音以下）の場合には希望波電力のレベルを希望波受信レベルとし、特定値を上回る（帯域内雑音以上）場合には、希望波電力のレベルに電界強度のレベルを加算して補正し、希望波受信レベルとしているので、受信機無線部の帯域内雑音以下のレベルまで測定可能とすることができる効果がある。
【０１１６】
また、本技術例によれば、上記受信レベル測定回路を備え、送信電力の制御に受信レベル測定回路からの出力を利用する基地局又は移動局を有する通信システムとしているので、受信機無線部の帯域内雑音以下のレベルまで測定された受信レベルで有効なる送信電力の制御を行うことができる効果がある。
以上に、本発明に関する技術の例を示した（特許文献２参照。）。
【０１１７】
ここで、本発明に係る受信レベル測定回路などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る受信レベル測定回路などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【０１１８】
【図１】本発明の一実施例に係る入力電力、検出ＲＳＳＩ、補正後ＲＳＳＩ、仮想雑音、帯域内雑音の関係の一例を示す図である。
【図２】本発明の一実施例に係る受信レベル測定回路の構成例を示す図である。
【図３】拡散率と逆拡散後の振幅との関係の一例を示す図である。
【図４】ベースバンド検出の希望波成分と無線部における検出ＲＳＳＩの一例を模式的に示す図である。
【図５】受信レベル測定回路の構成例を示す図である。
【図６】希望波／干渉波検出部の内部構成例を示す図である。
【図７】逆拡散後におけるデジタルＡＧＣ部の動作の一例を説明するための図である。
【図８】フレームフォーマットの一例を示す図である。
【図９】振幅位相変動量の平均化の様子の一例を示す図である。
【図１０】ベースバンド検出の希望波成分とＲＳＳＩとの関係の一例を模式的に示す図である。
【図１１】受信レベル測定回路の一構成例を示す図である。
【図１２】入力電力、帯域内雑音、ＲＳＳＩの関係の一例を示す図である。
【符号の説明】
【０１１９】
１、４１、８１・・ＲＳＳＩ検出部、  ２、１４、４２、４８、８２・・Ａ／Ｄ部、  ３、４３、８３・・ＲＳＳＩ平均化部、  ４、４４、８４・・電圧／ｄＢ変換部、  ５・・ＲＳＳＩ補正部、  １１、４５・・ＡＧＣ部、  １２、４６・・発振器、  １３、４７・・直交検波部、  １５、１６、２７、４９、６８・・加算器、  １７・・ｄＢ変換部、  １８、５１・・希望波レベル補正部、  １９、５３・・干渉波レベル補正部、  ２１、６１・・符号生成部、  ２２、６２・・逆拡散部、  ２３、６３・・デジタルＡＧＣ部、  ２４、６５・・参照用パイロットシンボル生成部、  ２５、６６・・複素乗算器、  ２６・・希望波成分平均化部、  ２８、５０・・希望波成分電力化部、  ２９、７１・・干渉波成分電力化部、  ３０、７２・・指数重み付け平均化部、  ３１・・フィンガＳＩＲ測定部、  Ａ１〜ＡＮ・・希望波干渉波検出部、  ５２・・干渉波成分平均化部、  ５４・・真値／ｄＢ変換部、  ６４・・振幅レベル検出部、  ６７・・振幅位相変動量平均化部、  ６９・・デジタルＡＧＣ補正部、  ７０・・ベクトル／スカラー変換部、
【図１】
2006080585.tif 000013
【図２】
2006080585.tif 000014
【図３】
2006080585.tif 000015
【図４】
2006080585.tif 000016
【図５】
2006080585.tif 000017
【図６】
2006080585.tif 000018
【図７】
2006080585.tif 000019
【図８】
2006080585.tif 000020
【図９】
2006080585.tif 000021
【図１０】
2006080585.tif 000022
【図１１】
2006080585.tif 000023
【図１２】
2006080585.tif 000024